(57)【特許請求の範囲】
【請求項１】
躯体開口部に設けたシャッターカーテンを、開口部上方に回転自在に支持した巻取りドラムに巻装し、開閉機の駆動に伴う巻取りドラムの正逆回転でシャッターカーテンの開閉がなされ、開閉機側の駆動スプロケットと巻取りドラム側の従動スプロケットとのあいだに懸回される無端のチエンに弾圧状に当接し、チエンの弛み検知をすることに伴い変位する検知部と、該検知部の変位に基づいて従動スプロケットに噛合して巻取りドラムの回転規制をする規制部とを備えた落下防止装置を設けてなる建築用シャッターにおいて、前記規制部を、検知部の弛み検知による変位に伴い非作用位置からスライドして、従動スプロケットのチエンの非懸回部位に噛合する作用位置に変位するように構成するにあたり、前記規制部を非作用位置から作用位置にスライド案内するためのガイド体を、駆動スプロケットと従動スプロケットとの対向間であって、無端チエンの両スプロケットに噛合しない上下チエン部位のあいだに形成されるスペース内に配設されたものとして該スペースからはみ出ない構成にすると共に、従動スプロケットと駆動スプロケットとの軸芯を通る直線を基準線とし、シャッターカーテンを閉鎖する方向の回転を閉鎖回転としたとき、前記ガイド体は、前記基準線を跨ぐ状態で設けられ、従動スプロケットの閉鎖回転方向先側ほど従動スプロケットに近接するよう規制部の駆動スプロケット側の面をスライド案内するものとし、規制部は、ガイド体のスライド案内により作用位置に移動したとき、従動スプロケットに対して基準線上部位にて噛合するように構成されている建築用シャッター装置における落下防止装置。
【請求項２】
ガイド体は、前記規制部の駆動スプロケット側の面を傾斜状にスライド案内する面である第一ガイド面と、規制部の左右方向何れか一方の側面をスライド案内する第二ガイド面とを備えて構成されている請求項１に記載の建築用シャッター装置における落下防止装置。
【請求項３】
規制部は、従動スプロケットに噛合する複数の係止歯を備えて構成されている請求項１または２に記載の建築用シャッター装置における落下防止装置。
【請求項４】
検知部は、長尺状のアーム体の一端部に設けられるものとし、規制部は、前記アーム体の他端部に設けられている請求項１または３の何れか１項に記載の建築用シャッター装置における落下防止装置。
【請求項５】
落下防止装置は、ベースプレートを介し、従動スプロケットと駆動スプロケットとが軸承される支持ブラケットに位置調整自在に止着されるものとし、支持ブラケットには、ベースプレートの移動規制をするストッパ部材が設けられている請求項１乃至４の何れか１項に記載の建築用シャッター装置における落下防止装置。
【請求項６】
落下防止装置は、従動スプロケットの外周に突き当てられて、従動スプロケットに対する位置決めをするための位置決め部材が着脱自在に設けられている請求項１乃至５の何れか１項に記載の建築用シャッター装置における落下防止装置。
【発明の詳細な説明】
【技術分野】
【０００１】
本発明は、建築物の出入り口等の開口部に設けられる建築用シャッター装置における落下防止装置の技術分野に属するものである。
【背景技術】
【０００２】
一般に、この種建築用シャッター装置のなかには、躯体の開口部を開閉するシャッターカーテンを、開口部上方に回転自在に支持され、開閉機の駆動に伴い正逆回転する巻取りドラムに巻装したものがある。このように構成されたものにおいて、前記開閉機側の駆動スプロケットと巻取りドラム側の従動スプロケットとのあいだには無端のチエンが懸回されるが、該チエンが何らかの不測の事態の発生で切断された場合では、巻取りドラムがフリーな状態となり、シャッターカーテンの荷重（自重）に基づいて巻取りドラムを回転させ、シャッターカーテンが落下することが想定される。
【０００３】
これを回避するため、シャッター装置に落下防止装置を設けることが提唱されており、その一例として、巻取りドラム側の従動スプロケットと開閉機側の駆動スプロケットとの間に回転体を設け、該回転体に、駆動スプロケットと従動スプロケットとの間に張設される無端のチエンに弾圧状に当接する検知部と、従動スプロケットに噛合する規制部とを設ける構成とし、検知部がチエンの弛みを検知することに基づいて回転体が回転することにより、規制部が従動スプロケットに噛合するようにしたものが提唱されている。
【特許文献１】特開２００７−３３２６０２号公報
【発明の開示】
【発明が解決しようとする課題】
【０００４】
ところが、前記従来のものにおいて、検知部と規制部とは回転体に一体的に設けられるものであり、検知部がチエンの弛みを検知したとき回転体を回転させるように構成するため、回転体と検知部との間にアーム部を設け、検知部が回転体配設位置から従動スプロケット側に延出した状態でチエンを弾圧するように構成している。このため、従動スプロケットに噛合する規制部も外径方向に延出するアーム部を備えたものとなり、駆動、従動スプロケットの対向間に大きなスペースが必要となるうえ、チエンの弛み検知がなされた場合では、シャッターーテンの荷重を含む大きな負荷がアーム部に作用し、該負荷がアーム部の長さに基づくモーメントを受けて回転体に作用することになり、サイズの大きなシャッター装置に用いた場合では、規制部が破損する惧れがあって問題がある。この問題を解決するには、回転軸と爪部との強度アップ（大型化）を図ることで対応できるが、このようにすると、従動スプロケットと駆動スプロケットとの間のスペースを大きく確保しなければならず、落下防止装置を取付けることができるシャッター装置が限定されて汎用性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部に設けたシャッターカーテンを、開口部上方に回転自在に支持した巻取りドラムに巻装し、開閉機の駆動に伴う巻取りドラムの正逆回転でシャッターカーテンの開閉がなされ、開閉機側の駆動スプロケットと巻取りドラム側の従動スプロケットとのあいだに懸回される無端のチエンに弾圧状に当接し、チエンの弛み検知をすることに伴い変位する検知部と、該検知部の変位に基づいて従動スプロケットに噛合して巻取りドラムの回転規制をする規制部とを備えた落下防止装置を設けてなる建築用シャッターにおいて、前記規制部を、検知部の弛み検知による変位に伴い非作用位置からスライドして、従動スプロケットのチエンの非懸回部位に噛合する作用位置に変位するように構成するにあたり、前記規制部を非作用位置から作用位置にスライド案内するためのガイド体を、駆動スプロケットと従動スプロケットとの対向間であって、無端チエンの両スプロケットに噛合しない上下チエン部位のあいだに形成されるスペース内に配設されたものとして該スペースからはみ出ない構成にすると共に、従動スプロケットと駆動スプロケットとの軸芯を通る直線を基準線とし、シャッターカーテンを閉鎖する方向の回転を閉鎖回転としたとき、前記ガイド体は、前記基準線を跨ぐ状態で設けられ、従動スプロケットの閉鎖回転方向先側ほど従動スプロケットに近接するよう規制部の駆動スプロケット側の面をスライド案内するものとし、規制部は、ガイド体のスライド案内により作用位置に移動したとき、従動スプロケットに対して基準線上部位にて噛合するように構成されている建築用シャッター装置における落下防止装置である。
請求項２の発明は、ガイド体は、前記規制部の駆動スプロケット側の面を傾斜状にスライド案内する面である第一ガイド面と、規制部の左右方向何れか一方の側面をスライド案内する第二ガイド面とを備えて構成されている請求項１に記載の建築用シャッター装置における落下防止装置である。
請求項３の発明は、規制部は、従動スプロケットに噛合する複数の係止歯を備えて構成されている請求項１または２に記載の建築用シャッター装置における落下防止装置である。
請求項４の発明は、検知部は、長尺状のアーム体の一端部に設けられるものとし、規制部は、前記アーム体の他端部に設けられている請求項１または３の何れか１項に記載の建築用シャッター装置における落下防止装置である。
請求項５の発明は、落下防止装置は、ベースプレートを介し、従動スプロケットと駆動スプロケットとが軸承される支持ブラケットに位置調整自在に止着されるものとし、支持ブラケットには、ベースプレートの移動規制をするストッパ部材が設けられている請求項１乃至４の何れか１項に記載の建築用シャッター装置における落下防止装置である。
請求項６の発明は、落下防止装置は、従動スプロケットの外周に突き当てられて、従動スプロケットに対する位置決めをするための位置決め部材が着脱自在に設けられている請求項１乃至５の何れか１項に記載の建築用シャッター装置における落下防止装置である。
【発明の効果】
【０００６】
請求項１の発明とすることにより、開閉機と巻取りドラムとのあいだの動力伝動装置をそのまま利用することができて部材の兼用化が果せるうえ、落下防止装置のないシャッター装置に対して容易に後付けでき、そのうえ、落下防止装置のコンパクト化を図ることができる。
請求項２の発明とすることにより、規制部による従動スプロケットの回転規制を一層強固にすることができて、大きなサイズのシャッター装置にも対応できて汎用性を高めることができる。
請求項３の発明とすることにより、規制部による従動スプロケットの回転規制をさらに強固にすることができる。
請求項４の発明とすることにより、規制部による落下防止作動が迅速で、一層信頼性の高い、優れた落下防止装置となる。
請求項５の発明とすることにより、落下防止装置を位置調整自在に設けることができるものでありながら、信頼性の高い落下防止装置とすることができる。
請求項６の発明とすることにより、落下防止装置の従動スプロケットに対する位置決めを容易に行える。
【発明を実施するための最良の形態】
【０００７】
つぎに、本発明の実施の形態について、図面に基づいて説明する。
図面において、１は開口部に建て付けられた建築用シャッター装置のシャッターカーテンであって、該シャッターカーテン１は、図１に示すように、複数枚のスラット１ａの上下端部をインターロック連結等により揺動自在に連結して構成されており、上端に位置するスラット１ａに連結された複数の吊り金具１ｂを介して巻取りドラム２に連結されている。一方、開口部上方には、シャッターカーテン１を基準として屋内外方向一方（本実施の形態では屋外側であるが、屋内側となる場合もある）に突出する状態でシャッターケース３が設けられている。前記シャッターケース３の左右には左右一対の支持ブラケット４、５が一体的に配されており、これら左右一対の支持ブラケット４、５に、前記巻取りドラム２の左右両端部から突出する回転軸２ａが回転自在に軸承されている。そして、左側支持ブラケット４に支持された開閉機６と回転軸２ａとを連動連結することにより、巻取りドラム２が開閉機６の駆動力に伴い正逆回転するように構成されており、これによって、シャッターカーテン１は、巻取りドラム２から巻出されて開口部を閉鎖する全閉姿勢と、巻取りドラム２に巻取られて開口部を開放する全閉姿勢とのあいだを変姿するように構成されるが、このとき、シャッターカーテン１の左右両端部は、開口部両側に配されたガイドレール７の移動案内を受けながら開閉移動するように構成されており、これらの基本構成は何れも従来通りとなっている。
【０００８】
そして、右側支持ブラケット５は、右側に突出する回転軸２ａを軸受け５ａを介して回転自在に支持するように構成されている。
一方、左側支持ブラケット４は、図２、３に示すように、前記右側支持ブラケット５に左右方向に対向して配される第一ブラケット８と、該第一ブラケット８の屋外側に連結される第二ブラケット９とにより構成されており、左側に突出する回転軸２ａは第一ブラケット８に軸受け８ａを介して回転自在に支持されるように構成されている。さらに、左側に突出する回転軸２ａは、第一ブラケット８の貫通孔８ｂを貫通して第一ブラケット８の左方に突出しており、該貫通先端部２ｂに従動スプロケット２ｃが一体的に外嵌固定されている。
また、第二ブラケット９は、開閉機６の出力軸６ａが回転自在に貫通する出力軸貫通孔９ａと、該貫通孔９ａを中心とする外周部位の都合四箇所に位置し、開閉機６のケーシング６ｂを支持固定するための取付け用貫通孔９ｂが開設されている。そして、第二ブラケット９の右側端面に開閉機６のケーシング６ｂの左端面を突き当て、出力軸６ａを出力軸貫通孔９ａに貫通させて第二ブラケット９の左方に突出する状態とし、前記四箇所の取付け用貫通孔９ｂを介してボルト−ナット６ｃによる締結をすることにより、開閉機６が第二ブラケット９に固定されるように構成されている。そして、第二ブラケット９の左方に突出する出力軸６ａの突出先端６ｄには駆動スプロケット６ｅが一体的に外嵌されている。
【０００９】
ここで、前記駆動スプロケット６ｅと従動スプロケット２ｃとの軸芯同士を連結する基準線Ｈは、本実施の形態では水平線となる位置関係となっており、また、両スプロケット６ｅ、２ｃの左側支持ブラケット４からの突出位置が同じになる位置関係となっている。そして、これら駆動、従動スプロケット６ｅ、２ｃとの間に懸回される無端のチエン１０を緊張状態（張設状態）となるように配設することにより、駆動、従動スプロケット６ｅ、２ｃとのあいだの動力伝動がなされ（連動連結され）、開閉機６の駆動力が巻取りドラム２に伝動されるように構成されている。因みに、駆動、従動スプロケット６ｅ、２ｃとは、シャッター装置の設置時において、各スプロケット６ｅ、２ｃがそれぞれ設けられる第一、第二ブラケット８、９を位置調整することにより前記位置関係を確立する構成となっており、該位置調整後に第一、第二ブラケット８、９を溶着等の一体化手段により一体化することにより左側支持ブラケット４が構成されるように設定されている。
尚、４ａは第二ブラケット８に積層される補強を兼ねたスペーサプレートである。
【００１０】
そして、本実施の形態の巻取りドラム２は、図２に示すように、反時計回り方向（矢印Ａ方向）に回転（本発明の閉鎖回転に相当する）することによりシャッターカーテン１が巻取りドラム２から巻出される閉鎖作動を行い、時計回り方向に回転することによりシャッターカーテン１が巻取りドラム２に巻取られる開放作動を行うように設定されている。この場合に、チエン１０にはシャッターカーテン１の自重が作用して巻取りドラム２を常時反時計回り方向に回転させようとする負荷が作用しており、これによって、シャッター装置において何ら異常のない通常の懸回状態において、チエン１０は、駆動、従動スプロケット６ｅ、２ｃの上部のあいだに配される上側の部位が常時張り（緊張）状態となる張り側チエン１０ａとなっている。そして、張り側チエン１０ａは、チエン１０が切断した場合、あるいは、シャッターカーテン１が大きく持ち上げられたような場合等、何らかの事故が生じた場合以外は、弛みが生じることがないよう構成されている。
【００１１】
１１は本発明が実施され、左側支持ブラケット４に配される落下防止装置であって、該落下防止装置１１は、図２に示すように、駆動、従動スプロケット６ｅ、２ｃの対向間に位置するべく、第二ブラケット９の左側面に設けられている。前記落下防止装置１１を構成するベースプレート１２は、屋内外方向に長い長孔状の取付け孔１２ａが上下端部に位置して形成されており、これら取付け孔１２ａに挿通するボルト−ナット１２ｂを用いて固定されることにより、第二ブラケット９（左側支持ブラケット４）に対して屋内外方向の位置調整がなされた状態で固定されるように設定されている。
また、ベースプレート１２の屋外側の端縁には、第二ブラケット９に固定される開閉機６の固定具であるボルト−ナット６ｃへの干渉を避けるための切欠き凹部１２ｃが形成されている。
【００１２】
そして、ベースプレート１２の上下方向中間部に位置する左側面にはガイド体１３が固定されている。前記ガイド体１３は、図４、５に示すように、主ガイド体（本発明のガイド体に相当する）１４と後述する副ガイド体１５とにより構成されている。前記主ガイド体１４は、たとえば図２から明らかなように、駆動スプロケット６ｅと従動スプロケット２ｃとの対向間であって、無端チエン１０の両スプロケット２ｃ、６ｅに噛合しない上下チエン部位のあいだに形成されるスペース内に配設されたものとして該スペースからはみ出ない構成になっている。金属材により形成されており、従動スプロケット２ｃの駆動スプロケット６ｅ側を向く外周（屋外側）に近接対向する上下方向長尺状のブロック体で構成されており、該主ガイド体１４の従動スプロケット２ｃ側（屋内側）の面が第一ガイド面（本発明のガイド面に相当する）１４ａに構成されている。前記第一ガイド面１４ａは、従動スプロケット２ｃと駆動スプロケット６ｃとの配設位置により設定される前記基準線Ｈを跨ぐ状態で設けられるとともに、従動スプロケット２ｃの駆動スプロケット６ｅ側（屋外側）部位において、閉鎖回転方向（反時計回り方向）先端側であって、本実施の形態では上方ほど従動スプロケット２ｃに近接する傾斜面に形成されている。
【００１３】
１６は第一ガイド面１４ａに沿って移動自在に変位する規制部であって、該規制部１６は金属材で形成されており、従動スプロケット２ｃの屋外側（駆動スプロケット６ｅ側）であって、チエン１０が懸回されることのない部位に位置するギア歯２ｄに噛合する上下方向三つの第一、第二、第三係止歯１６ａ、１６ｂ、１６ｃが形成されている。これら第一〜第三係止歯１６ａ、１６ｂ、１６ｃは、下方に位置する係止歯（第三係止歯１６ｃ）ほど従動スプロケット２ｃ側に突出する状態で形成されているとともに、最上位の第一係止歯１６ａは、先端が切欠かれた形状に形成されている。。そして、これら第一〜第三係止歯１６ａ、１６ｂ、１６ｃは、駆動スプロケット６ｅ側の面が前記第一ガイド面１４ａに摺動自在となる第一摺動面１６ｄに構成されている。そして、規制部１６は、第一ガイド面１４ａの下端部に位置する非作用位置にある状態では、駆動、従動スプロケット６ｅ、２ｃの軸芯を通る基準線Ｈよりも下方で、かつ、従動スプロケット２ｃから離間しており、各係止歯１６ａ、１６ｂ、１６ｃが従動スプロケット２ｃのギア歯２ｄに噛合することはないように設定されており、この状態から、第一ガイド面１４ａに沿って上方にスライド変位した作用位置にある状態では、各係止歯１６ａ、１６ｂ、１６ｃが駆動、従動スプロケット６ｅ、２ｃの軸芯を通る基準線Ｈ上に位置して、従動スプロケット２ｃのギア歯２ｄに噛合するように設定されている。
ここで、１４ｂは第一ガイド面１４ａの従動スプロケット２ｃ側（屋内側）に位置し、ベースプレート１２に一体的に配されたスペーサであって、該スペーサ１４ｂは、規制部１６と従動スプロケット２ｃとが左側支持ブラケット４から同位置となって、左右方向の位置合せがなされるようにするための部材であって、スペーサ１４ｂの左側面は、規制部１６の右端面である第二摺動面１６ｅが摺動する第二ガイド面１４ｃとなっている。
ここで、前記第一、第二ガイド面１４ａ、１４ｃには樹脂材が設けられ、金属材で形成された規制部１６が円滑に摺動するように構成されている。
【００１４】
さらに、前記規制部１６には、左側に突出するボス１６ｆが一体形成されており、該ボス１６ｆに、上下方向に長いアーム体１７の基端部（本発明の他端部）が溶着等の一体化手段により固定されている。前記アーム体１７の先端部（本発明の一端部）には検知部１８が設けられているが、該検知部１８は、枢支ピン１８ａを介して回転（揺動）自在な状態で連結されている。そして、検知部１８は、後述するように、規制部１６が非作用位置に位置する状態において、駆動、従動スプロケット６ｅ、２ｃのあいだに懸回されるリング状のチエン１０の上側の張り側チエン１０ａに対し、該張り側チエン１０ａのリング内側から当接するように設定されている。そして、検知部１８は、樹脂製のローラ当接体１８ｂの両側面に積層する一対の支持プレート１８ｃとを、螺子１８ｄにより緊締して一体化することにより構成されており、ローラ当接体１８ｂは、チエン１０を構成するローラ部１０ｂが転動自在に当接するように設定されている。
尚、ローラ当接体１８ｂと支持プレート１８ｃとは、チエン１０の長さ方向に長く形成され、複数（本実施の形態では三個）のローラ部１０ｂに当接可能な長さに設定されている。そして、検知部１８は、アーム体１７の先端部に対し、長尺方向中間部において枢支ピン１８ａを介して回転自在に枢支されていることにより、検知部１８のチエン１０への当接角度を自由に回転変化させることができるとともに、チエン１０が切断したような場合に、上方に跳ね上げられたチエン１０が仮に検知部１８に絡みついたとしても、検知部１８をアーム体１７に対して揺動させることにより、アーム体１７の変位（規制部１６の変位）を損なうことがないように構成されている。
また、前記アーム体１７の基端部であって規制部１６が一体的に連結される部位には、左側に突出する弾機支持片１７ａが形成されており、該弾機支持片１７ａには、付勢弾機１９の一端部が連結されている。さらに、前記規制部１６の左端面には、従動スプロケット２ｃ側（屋内側）の端部に位置して、樹脂材で形成された案内片１６ｇが螺子１６ｈを用いて固着されている。
【００１５】
一方、前記ガイド体１３を構成する副ガイド体１５は金属材により構成されており、図４、５に示すように、規制部１６の左端面のうち、屋内側に突出する第二、第三係止歯１６ｂ、１６ｃの前記突出部位の左端面を摺動自在にガイドする第三ガイド面１５ａと、第三ガイド面１５ａの屋外側端部から左方に起立し、第一ガイド面１４ａに平行となるガイド面に形成され、前記規制部案内片１６ｇの屋内側面に従動スプロケット２ｃ側から当接して、案内片１６ｇを移動案内する第四ガイド面１５ｂと、第三、第四ガイド面１５ａ、１５ｂの上端部から屋外側に延出する上端片１５ｃとが一体に形成されている。ここで、第三ガイド面１５ａは、図２、５に示すように、従動スプロケット２ｃの屋外側部位を左側から覆うように設けられており、これによって、従動スプロケット２ｃの落下防止装置１１との対向部位が左側支持ブラケット４（第二ブラケット９）と第三ガイド面１５ａとの対向間に位置するように構成されている。
尚、補助ガイド体１５は、螺子１５ｄを用いて主ガイド体１４とベースプレート１１とに一体的に固定されている。さらに、補助ガイド体１５には、上端片１５ｃから、第一ガイド面１４ａに沿って斜め上方に延出する弾機支持片１５ｅが形成されており、該弾機支持片１５ｅに、前記付勢弾機１９の先端部が連結されている。
【００１６】
そして、落下防止装置１１は、付勢弾機１９の付勢力に抗して規制部１６を非作用位置に位置せしめ、チエン１０の上側に位置する張り側チエン１０ａのリング内側の面に検知部１８を当接させることにより、チエン１０の弛みを検知する状態となるように設定されている。この状態において、検知部１８は、張り側チエン１０ａにより移動規制を受けることにより規制部１６を非作用位置に保持するように設定されており、付勢弾機１９は、アーム体１７（規制部１６、検知部１８）を第一、第二、第三、第四ガイド面１４ａ、１４ｃ、１５ａ、１５ｂに沿う斜め上方に向けて付勢するように設定されている。尚、この状態における付勢弾機１９の付勢力は、駆動、従動スプロケット６ｅ、２ｃのあいだの張り側チエン１０ａに作用する張力よりも小さく設定されており、通常の使用状態において駆動、従動スプロケット６ｅ、２ｃ間の動力伝動を損なうことがなく、しかも、張り側チエン１０ａの張力が消失したときにはアーム体１７を迅速に上方変位させて、規制部１６を作用位置に変位させることができる大きさとなるように設定されている。そして、チエン１０が弛み、検知部１８に対する張り側チエン１０ａの張力が消失すると、後述するように、検知部１８がアーム体１７とともに迅速に上方変位して、規制部１６を作用位置に変位せしめ、第一〜第三係止歯１６ａ、１６ｂ、１６ｃが従動スプロケット２ｃに噛合することにより、従動スプロケット２ｃの閉鎖方向の回転（反時計回り方向の回転）を規制してシャッターカーテン１の落下防止をするように構成されている。
【００１７】
ここで、落下防止装置１１のベースプレート１２を支持ブラケット４に固定するにあたり、本実施の形態のように、長孔１２ａを用いて位置調整自在とすることにより、既設のシャッター装置に落下防止装置１１を設けることが容易になるが、ベースプレートを位置調整自在に設ける必要は必ずしもなく、一体的に溶着等による一体化手段で固定することも可能である。
ところで、チエン１０の弛みに基づいて規制部１６が従動スプロケット２ｃに噛合して従動スプロケット２ｃの回転規制がなされると、シャッターカーテン１自重に基づく負荷は、従動スプロケット２ｃ、規制部１６を介してガイド体１３に作用する。このようになると、ガイド体１３が固定されるベースプレート１２と支持ブラケット４との固定部位に負荷が作用することになるが、本実施の形態のように、ベースプレート１２を長孔１２ａを用いて左側支持ブラケット４（第二ブラケット９）に対して位置調整自在に固定した場合では、ベースプレート１２が長孔１２ａ部位において位置ズレし、規制部１６と従動スプロケット２ｃとの噛合状態が損なわれることが想定される。そこで、本実施の形態では、左側支持ブラケット４（第二ブラケット９）に固定されたベースプレート１２にストッパ部材２０を設けて、長孔１２ａを用いて固定されたベースプレート１２が位置ズレしないように配慮されている。
【００１８】
前記ストッパ部材２０は、第二ブラケット９の左側面において、ベースプレート１２の屋外側に隣接する状態で設けられている。ストッパ部材を構成するストッパ本体２０ａは、上下に一対の固定片２０ｂを備えて構成されており、該ストッパ本体２０ａは、第二ブラケット９の屋外側端部に開設され、開閉機６を固定するために開設された取付け用貫通孔９ｂに螺入されるボルト−ナット６ｃを用い、開閉機６とともに固定されるように設定されている。前記上下の固定片２０ｂは、ベースプレート１２の屋外側端部における上下に位置して形成されたストッパ受け片１２ｄに近接対向して形成されており、これら固定片２０ｂには、ストッパ受け片１２ｄの左端部に対向する部位に位置して螺子受け体２０ｄがそれぞれ設けられており、該螺子受け体２０ｄにそれぞれ貫通状に形成された各螺子孔２０ｅに、屋外側から調整螺子２１をそれぞれ螺入し、これら調整螺子２１の螺入先端部を上下のストッパ受け片１２ｄに突き当てた状態として調整螺子２１をナット２１ａ締めすることにより、上下の調整螺子２１が移動規制を受け、ベースプレート１２の位置ズレを防止するように構成されている。
尚、ストッパ部材２０は、前記構成に限定されることはなく、落下防止をしたときに、ベースプレート１２の長孔１２ａに基づく位置ズレが防止される構成であればよい。
【００１９】
つぎに、図６、７に基づいて、落下防止装置１１によるシャッターカーテン１の落下防止作動について説明する。
シャッター装置の通常の使用状態において、前述したように、検知部１８は張り側チエン１０ａに弾圧しており、該張り側チエン１０ａの張力に基づく移動規制を受けており、規制部１６は、一点鎖線で示すように、第一〜第四ガイド面１４ａ、１４ｃ、１５ａ、１５ｂにガイドされる状態で下端部に位置する非作用位置に保持されている（図６における一点鎖線）。
この状態において、チエン１０が切断する等の不測の事態が生じて張り側チエン１０ａの張力が消失すると、図６の実線で示すように、検知部１８は、張り側チエン１０ａによる移動規制が解除され、付勢弾機１９の付勢力を受けて上方に変位するチエン１０の弛み検知がなされた状態となる。一方、巻取りドラム２側では、従動スプロケット２ｃがシャッターカーテン１の自重を受けて反時計回り方向の回転（閉鎖回転）を開始しようとする。このとき、検知部１８の上方変位とともに、規制部１６は第一〜第四ガイド面１４ａ、１４ｃ、１５ａ、１５ｂに沿って上方変位して、規制部１６の第一〜第三係止歯１６ａ、１６ｂ、１６ｃのうち、最上位の第一係止歯１６ａがスプロケット２ｃのギア歯２ｄに当接する。
前記状態から、さらに従動スプロケット２ｃが反時計回り方向に回転する一方、規制部１６が付勢弾機１９の付勢力を受けて上方変位を行うことにより、図７に示すように、規制部１６の第一〜第三係止歯１６ａ、１６ｂ、１６ｃの全てがギア歯２ｄに噛合する作用姿勢となるように設定されている。そして、規制部１６が作用姿勢となった状態では、規制部１６は、第一ガイド面１４ａにより上方、および、外径側への変位が規制されており、これによって、規制部１６が従動スプロケット２ｃと第一ガイド面１４ｃとの間に介装された楔のような状態となって、規制部１６の第一〜第三係止歯１６ａ、１６ｂ、１６ｃによる従動スプロケット２ｃとの噛合状態が維持された状態となり、従動スプロケット２ｃの反時計回り方向の回転が規制され、シャッターカーテン１の自重落下を防止するように設定されている。
【００２０】
このとき、落下防止装置１１は、規制部１６、検知部１８との両者が上方にスライド移動することで落下防止する構成となっていて、従来の回転体に検知部と規制部とを設けるもののように、駆動、従動スプロケット６ｅ、２ｃとの間のスペースを大きく確保する必要がないように構成されている。しかも、このものにおいて、規制部１６が従動スプロケット２ｃを回転規制することにより生じる負荷は、ガイド体１３（主に主ガイド体１４）により受ける構成となっていて、ガイド体１３に強度を持たせることで強度アップを図ることができ、これによって、駆動、従動スプロケット６ｅ、２ｃの間のスペースを格別大きく確保することなく、サイズの大きい大型のシャッター装置に対応することができるように構成されている。
また、規制部１６は、第一〜第三係止歯１６ａ、１６ｂ、１６ｃが従動スプロケット２ｃの屋外側のギア歯２ｄであって、チエン１０が懸回されないギア歯２ｄに噛合していて確実な噛合がなされているが、さらに、周回り方向三つの第一、第二、第三係止歯１６ａ、１６ｂ、１６ｃにより従動スプロケット２ｃに噛合することで、一層確実な噛合状態となるように構成されている。また、このものでは、第一〜第三係止歯１６ａ、１６ｂ、１６ｃのうち、第一係止歯１６ａは、駆動、従動スプロケット６ｅ、２ｃの軸芯を通る基準線Ｈよりも上方のギア歯２ｄに噛合しているが、第二、第三係止歯１６ｂ、１６ｃは第一係止歯１６ａよりも従動スプロケット２ｃ側に突出し、しかも、反時計回り方向（上方）に向けて回転しようとする従動スプロケット２ｃに対して、付勢弾機１９の付勢力を受けて従動スプロケット２ｃに近付く状態で上方にスライド変位して、駆動、従動スプロケット６ｅ、２ｃの軸芯を通る基準線Ｈよりも下方に位置する状態でギア歯２ｄに噛合するように設定されている。これによって、従動スプロケット２ｃと第一〜第三係止歯１６ａ、１６ｂ、１６ｃとの噛合は、シャッターカーテン１の自重による反時計回り方向の負荷を受けて一層強固になっており、従動スプロケット２ｃの反時計回り方向の回転規制が確実になされるように構成されている。さらに、規制部１６は、先端部に検知部１８が設けられたアーム体１７の基端部に設けられることにより、検知部１８によるチエン１０の弛み検知に迅速に対応することができるように構成されており、これによって、規制部１６は、従動スプロケット２ｃが自重降下するべく反時計回り方向に回転するのを迅速、確実、かつ、強固に規制することができるように構成されている。
一方、従動スプロケット２ｃと規制部１６との噛合部は、前述したように、左側支持ブラケット４（第二ブラケット９）と第三ガイド面１５ａとの対向間に位置するようになっている。これによって、規制部１６と衝撃的に噛合するような場合でも、従動スプロケット２ｃが変形して噛合解除されるような不具合を防止できるように構成されている。
【００２１】
尚、落下防止装置１１は、規制部１６の第一、第二、第三係止歯１６ａ、１６ｂ、１６ｃと従動スプロケット２ｃとの対向距離、ガイド体１３に形成される第一〜第四ガイド面１４ａ、１４ｃ、１５ａ、１５ｂの傾斜角度、従動スプロケット付勢弾機１９の付勢力の大きさ等に基づいて、落下防止装置１１の検知精度、および、規制部１６の第一〜第三係止歯１６ａ、１６ｂ、１６ｃがギア歯２ｄに係止して巻取りドラム２の回転規制をするまでの時間が決定される。そして、これらの要素を使用条件に応じて適宜設定することにより、最適化された落下防止装置１１を構成することができる。
【００２２】
さらに、本実施の形態の落下防止装置１１には、シャッター装置に取付ける際に用いる位置決め体（位置決め部材に相当する）２２がベースレート１２に着脱自在に設けられている。前記位置決め体２２は、図２、４の二点鎖線で示すように、従動スプロケット２ｃ（ギア歯２ｄ）の外周に沿う円弧面２２ａが屋内外両側面に形成されたものに構成され、ベースプレート１２の上下二箇所に位置して回転自在に設けられている。そして、ベースプレート１２を支持ブラケット４（第二ブラケット９）に固定する際に、上下一対の位置決め体２２の円弧面２２ａを従動ブラケット２ｃの外周に当接させた状態として固定することにより、従動スプロケット２ｃと規制部１６との位置決めができるように設定されている。これによって、落下防止装置１１の位置決めを容易に、しかも、正確に行うことができて、取付け作業の所要時間を短縮できるように構成されている。因みに、位置決め体２２は、落下防止装置１１を支持ブラケット４に組込んだ後に取外されるものであり、チエン１０による動力伝動を邪魔したり、損なうようなことはない。
尚、位置決め体は、円弧面の形状（曲率半径）をシャッター装置の従動スプロケットの外径に合わせて適宜変化させることができ、このようにすることで、落下防止装置１１を異なる機種のシャッター装置に対しても容易に設置できるように構成されている。
【００２３】
叙述の如く構成された本形態において、落下防止装置１１は、不測の事態が生じてチエン１０が切断され、張り側チエン１０ａの張力に基づく移動規制がなくなると、検知部１８が付勢弾機１９の付勢力を受けて弛み検知をすることにより、規制部１６が検知部１８とともに上方にスライド変位し、第一〜第三係止歯１６ａ、１６ｂ、１６ｃが巻取りドラム２側の従動スプロケット２ｃのギア歯２ｄに噛合する作用姿勢となって、シャッターカーテン１の自重に基づく巻取りドラム２の回転を規制して、シャッターカーテン１の落下を防止する。このとき、規制部１６は、検知部１８の変位に伴い上方にスライド変位して、従動スプロケット２ｃのチエン１０が懸回されていない部位（チエン１０の非懸回部位）に噛合する構成となっているので、第一〜第三係止歯１６ａ、１６ｂ、１６ｃの従動スプロケット２ｃへの噛合が確実で、信頼性の高い落下防止装置１１とすることができる。しかも、従来のように、別途巻取りドラムにラチェットのような一体回転する部材を設けることなく、従動スプロケット２ｃを落下防止装置１１の構成部材としてそのまま用いることができるので、構成の簡略化を果すことができる。そのうえ、既設のシャッター装置に落下防止用装置１１を設ける場合に、予め設置されている巻取りドラム２の構成や、支持ブラケット４の構成を一切変化させることなく取付けることができ、この結果、必要に応じて落下防止装置１１を後付けすることを、簡単、かつ、容易に行うことができる。
しかも、このものでは、規制部１６がガイド体１３に対してスライド変位することで従動スプロケット２ｃの回転規制をする構成であるので、コンパクト化を実現することができて、狭い空間に設けることが可能となって汎用性を高めることができる。
【００２４】
そのうえ、本発明が実施されたものにあっては、規制部１６（第一〜第三係止歯１６ａ、１６ｂ、１６ｃ）は、シャッターカーテン１の自重に基づいて反時計回り方向（上方）に向けて回転する従動スプロケット２ｃの軸芯部位を通る基準線Ｈ上の部位に形成されたギア歯２ｄに対して、従動スプロケット２ｃに近付く状態で噛合するようにしたので、規制部１６が従動スプロケット２ｃとガイド体１３との間に楔状に噛合し、しかも、シャッターカーテン１の自重を受けた従動スプロケット２ｃの回転力が、第一〜第三係止歯１６ａ、１６ｂ、１６ｃとギア歯２ｄとの噛合状態を強固にする方向に作用することになって、規制部１６による従動スプロケット２ｃの回転規制を一層強固にすることができ、サイズの大きいシャッター装置にも対応することが可能となる。
【００２５】
そのうえ、本発明が実施されたものにあっては、規制部１６に第一〜第三係止歯１６ａ、１６ｂ、１６ｃが設けられていて、複数の（三つの）ギア歯２ｄに噛合する状態となるので、従動スプロケット２ｃへの噛合状態を一層確実にすることができる。
【００２６】
しかも、このものでは、検知部１８が先端部に設けられるアーム体１７の基端部に規制部１６を設ける構成としたので、検知部１８による弛み検知に基づく変位がそのまま規制部１６の非作用位置から作用位置への変位となって、検知部１８による弛み検知に基づいて規制部１６が迅速に従動スプロケット２ｃの回転規制を行うことができて、一層信頼性の高い、優れた落下防止装置１１とすることができる。しかも、検知部１８と規制部１６との両者が上方変位することにより落下防止をする構成となっているので、落下防止装置１１の配設スペースを小さくできて、駆動、従動スプロケット６ｅ、２ｃとの対向間が狭いようなシャッター装置にも採用することができて、汎用性を高めることができる。
【００２７】
さらに、このものにおいて、落下防止装置１１は、支持ブラケット４に対して位置調整自在に取付けることができるので、多様なシャッター装置に対応することができるうえ、精度の高い落下防止を実現できるが、このものでは、位置調整自在とすることで想定される落下防止装置１１の支持ブラケット４に対する位置ズレをストッパ部材２２により防止することができるので、信頼性の高い落下防止装置１１とすることができる。
【００２８】
また、このものでは、予め落下防止装置に位置決め体２２を組込んでおくことにより、従動スプロケット２ｃに対する位置決めが容易にでき、汎用性の高い落下防止装置１１を容易に取付けることが可能となる。
【００２９】
尚、本発明は前記実施の形態に限定されないことは勿論であって、駆動、従動スプロケットの屋内外の配設状態は前記実施の形態と同様であるが、従動スプロケットが時計回り方向に回転することでシャッターカーテンが閉鎖するように構成されるシャッター装置も想定される。このものでは、リング状のチエンにおける張り側チエンは下側となり、この場合では、落下防止装置の規制部、検知部、ガイド体を、前記実施の形態のものを上下方向に反転した位置関係で設けることで、前記実施の形態と同様の効果を得ることができる。このように、落下防止装置は、駆動、従動スプロケットの位置関係、従動スプロケットの閉鎖回転の方向に基づいて、落下防止装置の規制部、検知部、ガイド体の姿勢が設定されるように構成されている。
【図面の簡単な説明】
【００３０】
【図１】建築用シャッター装置の概略正面図である。
【図２】巻取りドラム配設状態を説明する一部断面側面図である。
【図３】図２におけるＸ−Ｘ断面図である。
【図４】落下防止装置の側面図である。
【図５】図４におけるＸ−Ｘ断面図である。
【図６】落下防止装置による作動状態を説明する要部拡大側面図である。
【図７】落下防止装置による落下防止状態を説明する要部拡大側面図である。
【符号の説明】
【００３１】
１    シャッターカーテン
２    巻取りドラム
２ｃ    従動スプロケット
４    左側支持ブラケット
６    開閉機
６ｅ    駆動スプロケット
８    第一ブラケット
９    第二ブラケット
１０    チエン
１０ａ    張り側チエン
１１    落下防止装置
１２    ベースプレート
１２ａ    取付け孔
１３    ガイド体
１４    主ガイド体
１４ａ    第一ガイド面
１５    補助ガイド体
１５ａ    第三ガイド面
１６    規制部
１６ａ    第一係止歯
１７    アーム体
１８    検知部
１９    付勢弾機
２０    ストッパ部材
２１    調整螺子
２２    位置決め体
【図１】
0005221998.tif 000002
【図２】
0005221998.tif 000003
【図３】
0005221998.tif 000004
【図４】
0005221998.tif 000005
【図５】
0005221998.tif 000006
【図６】
0005221998.tif 000007
【図７】
0005221998.tif 000008